(57)【特許請求の範囲】
【請求項１】
ファン及び該ファンよりも上流側に配置されたフィルターを有する吸排気機構を具備した機能装置を収納し、洋風便器本体の後部上面に載置可能なケーシングと、該ケーシングに回動自在に軸支された便座とを備えた便座装置において、
前記ケーシングの上面に該フィルターの差込口が設けられており、
前記フィルターは、先端部に開口を有する薄板状の枠体と、該開口に設けられたメッシュ状のフィルター部材とを有し、
前記差込口は、前記ケーシングが前記洋風便器本体の後部上面に載置された際に該洋風便器本体の前後方向に伸びたスリット形状であり、
前記ファンは、回転軸方向に直交する側面に吸気口が設けられ、前記ケーシングが前記洋風便器本体の後部上面に載置された際に回転軸方向が該洋風便器本体の左右方向かつ水平方向を向いて配置されたシロッコファンであり、
前記差込口から差し込まれた前記フィルター部材が該吸気口に対向して配置可能であることを特徴とする便座装置。
【請求項２】
ファン及び該ファンよりも上流側に配置されたフィルターを有する吸排気機構を具備した機能装置を収納し、洋風便器本体の後部上面に載置可能なケーシングと、該ケーシングに回動自在に軸支された便座とを備えた便座装置において、
前記ケーシングの上面に該フィルターの差込口が設けられており、
前記フィルターは、先端部に開口を有する薄板状の枠体と、該開口に設けられたメッシュ状のフィルター部材とを有し、
前記差込口は、前記ケーシングが前記洋風便器本体の後部上面に載置された際に該洋風便器本体の前後方向に伸びたスリット形状であり、
前記フィルターの枠体は、上端部に形成され、前記差込口の上面に係止する把持部を有し、該フィルターが該差込口に差し込まれた際に該把持部より下方に位置する後側面が、下方に向かって前方側に湾曲して形成されていることを特徴とする便座装置。
【請求項３】
ファン及び該ファンよりも上流側に配置されたフィルターを有する吸排気機構を具備した機能装置を収納し、洋風便器本体の後部上面に載置可能なケーシングと、該ケーシングに回動自在に軸支された便座とを備えた便座装置において、
前記ケーシングの上面に該フィルターの差込口が設けられており、
前記フィルターは先端部の外周縁が円弧状に形成され、前記ケーシング内には、該先端部を案内するガイド部材が形成されていることを特徴とする便座装置。
【発明の詳細な説明】
【技術分野】
【０００１】
本発明は便座装置に関する。
【背景技術】
【０００２】
特許文献１に従来の便座装置が開示されている。この便座装置は、洋風便器本体の後部上面に載置されるケーシングを備えている。ケーシングには、吸排気機構を具備した脱臭装置が収納されている。吸排気機構は、ファン及びファンより上流側に配置されたフィルターを有している。また、ケーシングには、便座及び便蓋が回動可能に軸支されている。この便座装置は、ケーシングの左右一方の側面にフィルターの差込口が設けられている。このため、フィルターを差込口から引き出し、フィルターに付着したほこりを取り除くことができる。
【０００３】
【特許文献１】特開２００３−２６５３６７号公報
【発明の開示】
【発明が解決しようとする課題】
【０００４】
しかし、上記従来の便座装置では、差込口がケーシングの左右一方の側面に設けられているため、その側面の外方向にフィルターを出し入れするための空間が必要となる。ケーシングが後部上面に載置される洋風便器本体は、トイレルームの壁面に近接して設置されることが多い。トイレルームの壁面に近接して設置された洋風便器本体にケーシングを載置すると、差込口が見え難く、フィルターの出し入れがし難い。また、メンテナンスのためにフィルターをケーシングから出し入れする際に、壁面にフィルターやメンテナンス者の手等が干渉してしまうことがある。このような場合には、ケーシングからフィルターを出し入れすることが困難になる。
【０００５】
本発明は、上記従来の実情に鑑みてなされたものであって、フィルターのメンテナンスを容易にすることのできる便座装置を提供することを解決すべき課題としている。
【課題を解決するための手段】
【０００６】
第１発明の便座装置は、ファン及び該ファンよりも上流側に配置されたフィルターを有する吸排気機構を具備した機能装置を収納し、洋風便器本体の後部上面に載置可能なケーシングと、該ケーシングに回動自在に軸支された便座とを備えた便座装置において、
前記ケーシングの上面に該フィルターの差込口が設けられており、
前記フィルターは、先端部に開口を有する薄板状の枠体と、該開口に設けられたメッシュ状のフィルター部材とを有し、
前記差込口は、前記ケーシングが前記洋風便器本体の後部上面に載置された際に該洋風便器本体の前後方向に伸びたスリット形状であり、
前記ファンは、回転軸方向に直交する側面に吸気口が設けられ、前記ケーシングが前記洋風便器本体の後部上面に載置された際に回転軸方向が該洋風便器本体の左右方向かつ水平方向を向いて配置されたシロッコファンであり、
前記差込口から差し込まれた前記フィルター部材が該吸気口に対向して配置可能であることを特徴とする。
【０００７】
この便座装置では、ケーシングの上面に設けられた差込口に対して、ケーシングの上方からフィルターを出し入れすることができる。このため、差込口を目視しながらフィルターを容易に出し入れすることができる。また、ケーシングの上方には、フィルターを出し入れするのに障害となるものはなく、フィルターを容易に出し入れすることができる。
【０００８】
したがって、本発明の便座装置は、フィルターのメンテナンスを容易にすることができる。
【０００９】
フィルターは、先端部に開口を有する薄板状の枠体と、開口に設けられたメッシュ状のフィルター部材とを有し、差込口は、ケーシングが洋風便器本体の後部上面に載置された際に洋風便器本体の前後方向に伸びたスリット形状である。この場合、差込口が前後方向に伸びたスリット形状であるため、薄板状の枠体を有するフィルターを洋風便器本体の前部側から容易に出し入れすることができる。
【００１０】
ファンは、回転軸方向に直交する側面に吸気口が設けられ、ケーシングが洋風便器本体の後部上面に載置された際に回転軸方向が洋風便器本体の左右方向かつ水平方向を向いて配置されたシロッコファンであり、差込口から差し込まれたフィルター部材が吸気口に対向して配置可能である。この場合、フィルター部材を容易かつ確実にファンの上流側に配置させることができる。
【００１１】
第２発明の便座装置は、ファン及び該ファンよりも上流側に配置されたフィルターを有する吸排気機構を具備した機能装置を収納し、洋風便器本体の後部上面に載置可能なケーシングと、該ケーシングに回動自在に軸支された便座とを備えた便座装置において、
前記ケーシングの上面に該フィルターの差込口が設けられており、
前記フィルターは、先端部に開口を有する薄板状の枠体と、該開口に設けられたメッシュ状のフィルター部材とを有し、
前記差込口は、前記ケーシングが前記洋風便器本体の後部上面に載置された際に該洋風便器本体の前後方向に伸びたスリット形状であり、
前記フィルターの枠体は、上端部に形成され、前記差込口の上面に係止する把持部を有し、該フィルターが該差込口に差し込まれた際に該把持部より下方に位置する後側面が、下方に向かって前方側に湾曲して形成されていることを特徴とする。
この場合、メンテナンス者は把持部を指で摘まんで、差込口の後端開口縁にフィルターの枠体の後側面を沿わせるようにして、フィルターを出し入れする。このようにすると、把持部を上方から徐々に前方に引き出すようにしてフィルターを引き出すことができる。また、把持部を前方から徐々に下方に押し込むようにしてフィルターを差し込むことができる。このため、洋風便器本体の前部側からフィルターの出し入れを容易に行うことができる。
【００１２】
第３発明の便座装置は、ファン及び該ファンよりも上流側に配置されたフィルターを有する吸排気機構を具備した機能装置を収納し、洋風便器本体の後部上面に載置可能なケーシングと、該ケーシングに回動自在に軸支された便座とを備えた便座装置において、
前記ケーシングの上面に該フィルターの差込口が設けられており、
前記フィルターは先端部の外周縁が円弧状に形成され、前記ケーシング内には、該先端部を案内するガイド部材が形成されていることを特徴とする。
この場合、フィルターの先端部が円弧状に形成されているため、ガイド部材に案内され易く、フィルターの出し入れを容易に行うことができる。また、フィルターを所定の位置に確実に配置することができる。
【００１４】
ケーシングの上面に着脱自在に設けられ、少なくとも差込口を覆うカバーを備え得る。この場合、差込口及びフィルターがカバーにより隠蔽されるため、便座装置の上面が凹凸のないすっきりとした外観にすることができる。このため、便座装置の上面を容易に清掃することができる。また、フィルター等の盗難やいたずら等を防ぐことができる。
【発明を実施するための最良の形態】
【００１５】
以下、本発明の便座装置を具体化した実施例１を図面を参照しつつ説明する。
【実施例１】
【００１６】
実施例１の便座装置は、図１に示すように、洋風便器本体１の後部上面に載置可能なケーシング１０を備えている。ケーシング１０は、図３及び図４に示すように、洋風便器本体１の上面に取り付けられる後ベース部材１４Ｂと、後ベース部材１４Ｂに対して昇降自在に取り付けられる前ベース部材１４Ｆと、下方に開口し、前ベース部材１４Ｆに取り付けられるケーシング本体１５とを有している。ケーシング本体１５は、図１及び図２に示すように、上面に凹設され、下面にビス孔を有する取付凹部１８を有し、取付凹部１８に挿入された、図示しないビスにより、前ベース部材１４Ｆに取り付けられる。ケーシング本体１５の前部上面には、回動自在に便座２及び便蓋３が軸支されている。
【００１７】
ケーシング１０は、図１〜図４に示すように、洋風便器本体１の前方から見て左側の後部に、ファン２０及びフィルター３０を有する吸排気機構と、ファン２０の側面に設けられた除菌イオン発生機構４０とを具備した空気清浄装置５０を収納している。また、ケーシング１０は、図１及び図２に示すように、空気清浄装置５０の右側に便器洗浄装置の給水バルブ装置４を収納している。ケーシング本体１５の後部上面は、給水バルブ装置４の上方に開口部１２が形成され、給水バルブ装置４のメンテナンスを可能としている。
【００１８】
ファン２０は、図２〜図４に示すように、除菌イオン発生機構４０が設けられた側面とは反対側の側面であり、回転軸方向に直交する側面に吸気口２１が設けられたシロッコファンである。ファン２０は、ケーシング１０が洋風便器本体１の後部上面に載置された際に回転軸方向が洋風便器本体１の左右方向かつ水平方向を向くように配置されている。また、ファン２０は、ケーシング本体１５の後側面に設けられた排気口１７に連通する上向きの排気路２３を有している。このように吸排気機構は、ファン２０、排気路２３及び後述するフィルター３０を有している。この吸排気機構を備えた空気清浄装置５０は、ケーシング１０内の空気を吸引し、吸引した空気とともに、空気清浄装置５０から発生した除菌イオンを排気口１７から洋風便器本体１の後部上方に向けて放出することができる。
【００１９】
排気路２３を有するファン２０は、ケーシング本体１５の内部に設けられた固定部１５Ｄの下面に固定片２２を介して吊り下げられている。このため、ファン２０は、ケーシング本体１５に対して所定の位置に固定されるため、後述する差込口１１とファン２０との位置決めが、容易かつ正確に行うことができる。
【００２０】
フィルター３０の差込口１１は、図１〜図４に示すように、ケーシング本体１５の後部上面に設けられている。差込口１１は、ケーシング本体１５内に収納されたファン２０の吸気口２１が設けられた側面に沿ってスリット形状に形成されている。つまり、差込口１１は、ケーシング１０が洋風便器本体１の後部上面に載置された際に洋風便器本体１の前後方向に伸びている。後述するカバー５を取り外した状態では、差込口１１を目視しながらフィルター３０を容易に出し入れすることができる。また、ケーシング１０の上方には、フィルター３０を出し入れするのに障害となるものはないため、フィルター３０をケーシング１０の上方から容易に出し入れすることができる。また、差込口１１が前後方向に伸びたスリット形状であるため、薄板上の枠体３３を有するフィルター３０を洋風便器本体１の前方から容易に出し入れすることができる。
【００２１】
したがって、実施例１の便座装置は、フィルターのメンテナンスを容易にすることができる。
【００２２】
フィルター３０は、外周縁が円弧状に形成された先端部３１に開口３２を有する薄板状の枠体３３と、開口３２に設けられたメッシュ状のフィルター部材３４とを有している。枠体３３の上端部には、差込口１１の上面に係止する鍔部３５Ａを有する把持部３５が形成されている。枠体３３は、差込口１１に差し込まれた際に把持部３５より下方に位置する後側面３６が下方に向かって前方側に湾曲して形成されている。このため、メンテナンス者は把持部３５を指で摘まんで、差込口１１の後端開口縁１１Ｂにフィルター３０の枠体３３の後側面３６を沿わせるように、フィルター１１を出し入れすると、図３に示すように、把持部３５を上方から徐々に前方に引き出すようにしてフィルター１１を引き出すことができる。また、把持部３５を前方から徐々に下方に押し込むようにしてフィルターを差し込むことができる。このため、洋風便器本体１の前部側からフィルター１１の出し入れを容易に行うことができる。
【００２３】
ケーシング本体１５内には、図３及び図４に示すように、フィルター３０が差込口１１から差し込まれる際に、フィルター３０の先端部３１を案内するガイド部１６と、フィルター１１の枠体３３に設けられた係止孔３７に係止する係止爪１３とが設けられている。このため、差込口１１からフィルター３０を差し込むと、フィルター部材３４をファン２０の吸気口２１に対向する位置、つまり、ファン２０の上流側に容易かつ確実に配置することができる。フィルター３０の先端部３１が円弧状に形成されているため、ガイド部１６に案内され易く、フィルター３０の出し入れを容易に行うことができる。
【００２４】
便座装置は、図１に示すように、ケーシング本体１５の後部上面を覆うカバー５が着脱自在に取り付けられている。カバー５は、常時、ケーシング本体１５の後部上面に取り付けられており、差込口１１や開口部１２等を隠蔽する。カバー５は、フィルター３０等をメンテナンスする際等にケーシング本体１５の後部上面から取り外される。このように、洋風便器本体が使用される際には、ケーシング本体１５の後部上面が凹凸のないすっきりした外観にすることができる。また、便座装置の上面を容易に清掃することができる。さらに、フィルター１１等の盗難やいたずら等を防ぐことができる。
【００２５】
以上において、本発明を実施例１に即して説明したが、本発明は上記実施例に制限されるものではなく、その趣旨に逸脱しない範囲で適宜変更して適用できることはいうまでもない。
【００２６】
例えば、ファン及びフィルターを有する吸排気装置を具備した機能装置は、脱臭装置であってもよい。
フィルターは、脱臭材が収納された立体形状であってもよい。この場合、差込口はフィルターの形状に合わせた形状で開口される。
ケーシング本体１５に吸気口を貫設し、吸排気装置は吸気口からケーシング１０の外部の空気を吸引するようにしてもよい。
ファンは、プロペラファンであってもよい。
【産業上の利用可能性】
【００２７】
本発明は洋風水洗式便器に利用可能である。
【図面の簡単な説明】
【００２８】
【図１】実施例１の便座装置が取り付けられた洋風水洗式便器の斜視図である。
【図２】実施例１の便座装置の要部拡大図である。
【図３】実施例１の便座装置のフィルターの出し入れ状態を示す断面図である。
【図４】実施例１の便座装置のフィルターが差し込まれた状態を示す断面図である。
【符号の説明】
【００２９】
１…洋風便器本体
２…便座
５…カバー
１０…ケーシング
１１…差込口
１６…ガイド部材
２０…ファン
２１…吸気口
３０…フィルター
３１…先端部
３２…開口
３３…枠体
３４…フィルター部材
３５…把持部
３６…後側面
５０…空気清浄装置（機能装置）
【図１】
0005349841.tif 000002
【図２】
0005349841.tif 000003
【図３】
0005349841.tif 000004
【図４】
0005349841.tif 000005